(57)【要約】    【課題】  一般的に、これらのＤＣ／ＤＣコンバータは電源として用いられており、交流電源から変換された直流電源を入力するために用いられているものであり、夫々の機器の小型化から一層の簡素化と小型化が求められている。    【解決手段】  入力端子２に接続したトランジスタＴｒ１と、トランジスタＴｒ１に接続したインダクタンスＬ１と、インダクタンスＬ１に接続した出力端子３と、トランジスタＴｒ１に接続した制御回路６と、トランジスタＴｒ１とインダクタンスＬ１との間に接続したダイオードＤ１と、ダイオードＤ１に接続したグランド端子４とを備え、入力端子２とトランジスタＴｒ１との間とグランド端子４とダイオードＤ１との間に第１のコンデンサＣ１を接続し、インダクタンスＬ１と出力端子との間とダイオードＤ１とグランド端子４との間に第２のコンデンサＣ２を接続した。    【選択図】  図１
2006067775.tif 000002
【特許請求の範囲】
【請求項１】
コンバータ本体の一側面から入力端子と出力端子とグランド端子とを突出させた三端子型のＤＣ／ＤＣコンバータであって、前記入力端子にコレクタ端子を接続したトランジスタと、該トランジスタのエミッタ端子に接続したインダクタンスと、該インダクタンスに接続した出力端子と、前記トランジスタのベース端子に接続した制御回路と、前記トランジスタのエミッタ端子とインダクタンスとの間の接続点にカソード端子を接続したダイオードと、該ダイオードのアノード端子に接続したグランド端子とを備え、前記入力端子とトランジスタのコレクタ端子との間とグランド端子とダイオードのアノード端子との間に夫々接続点を設けて第１のコンデンサを接続し、前記インダクタンスと出力端子との間とダイオードのアノード端子とグランド端子との間に夫々接続点を設けて第２のコンデンサを接続したことを特徴とするＤＣ／ＤＣコンバータ。
【請求項２】
コンバータ本体の一側面から入力端子と出力端子とグランド端子と出力電圧可変端子とを突出させた四端子型のＤＣ／ＤＣコンバータであって、前記入力端子にコレクタ端子を接続したトランジスタと、該トランジスタのエミッタ端子に接続したインダクタンスと、該インダクタンスに接続した出力端子と、前記トランジスタのベース端子に接続した制御回路と、前記トランジスタのエミッタ端子とインダクタンスとの間の接続点にカソード端子を接続したダイオードと、該ダイオードのアノード端子に接続したグランド端子とを備え、前記入力端子とトランジスタのコレクタ端子との間とグランド端子とダイオードのアノード端子との間に夫々接続点を設けて第１のコンデンサを接続し、前記インダクタンスと出力端子との間とダイオードのアノード端子とグランド端子との間に夫々接続点を設けて第２のコンデンサを接続すると共に、前記制御回路と出力電圧可変端子を接続し、該出力電圧可変端子と出力端子との間に第１の任意抵抗を接続し、前記出力電圧可変端子とグランド端子との間に第２の任意抵抗を接続したことを特徴とするＤＣ／ＤＣコンバータ。
【発明の詳細な説明】
【技術分野】
【０００１】
本発明はＤＣ／ＤＣコンバータに関するものであり、更に詳細には、直流入力電圧を所定の直流出力電圧に変換すると共に、負荷側に何らかの原因により発生する過電流から保護をするための三端子型又は四端子形のＤＣ／ＤＣコンバータに関するものである。
【背景技術】
【０００２】
一般的に、これらのＤＣ／ＤＣコンバータはパーソナルコンピュータ、ゲーム機器、携帯機器等の電源として用いられており、商業用電源である交流電源から変換された直流電流を入力するために用いられているものであり、夫々の機器の小型化から一層の簡素化と小型化が求められているものである。
【０００３】
従来、例えば、誤差増幅回路１５の出力端子とグランドＧＮＤとの間にショート用トランジスタ３１を接続し、ショート用トランジスタ３１を初期誤動作防止回路１２からＬレベルの解除信号ＳＧ３が出力されるまで、即ち、三角波発振回路１３が発振動作を開始されるまでオン状態にして誤差増幅回路１５の誤差出力信号ＳＧ６が０ボルトに保持し、ＰＷＭ比較回路１７は、正常に発振動作を開始した三角波発振回路１３の三角波信号ＳＧ３と、誤差増幅回路１５が正常な状態で充電電圧Ｖｓｏｆと出力電圧Ｖｏｕｔを比較しその差電圧を増幅して得た誤差出力信号ＳＧ６とに基づいてデューティ制御信号ＳＧ７を生成するもの（特許文献１参照）や、前記半導体スイッチング素子の出力端子と前記抵抗との接続点においてアノード端子を接続した第１のダイオード１７と、前記第１のダイオードのカソード端子にベース端子を接続されエミッタ端子は前記半導体スイッチング素子のオン・オフ駆動用回路部のグランドに接続されたＮＰＮ型トランジスタ１８と、前記ＮＰＮ型トランジスタのコレクタ端子にベース端子を接続されコレクタ端子は前記ＮＰＮ型トランジスタのベース端子に接続されたＰＮＰ型トランジスタ１９と、前記半導体スイッチング素子のオン・オフ用入力端子にアノード端子を接続されカソード端子は前記ＮＰＮ型トランジスタのコレクタ端子に接続された第２のダイオード２０と、前記ＰＮＰ型トランジスタのエミッタ端子に正極側を接続された第２の直流電源２２とを備えたもの（特許文献２参照）等が開示されている。
【特許文献１】特開平１１−７５３６号公報
【特許文献２】特開平１０−２７１８１８号公報
【発明の開示】
【発明が解決しようとする課題】
【０００４】
然し乍ら、従来開示されているものは構成が複雑で、多数の制御回路やパーツを必要としており、その製造に多大の手間暇がかかり、高価なものと成っていた。
【課題を解決するための手段】
【０００５】
前述の課題に鑑み、鋭意研鑽の結果、本発明のＤＣ／ＤＣコンバータは、コンバータ本体の一側面から入力端子と出力端子とグランド端子とを突出させた三端子型のＤＣ／ＤＣコンバータであって、入力端子に接続したトランジスタと、トランジスタに接続したインダクタンスと、インダクタンスに接続した出力端子と、トランジスタに接続した制御回路と、トランジスタとインダクタンスとの間の接続点に接続したダイオードと、ダイオードに接続したグランド端子とを備え、入力端子とトランジスタとの間とグランド端子とダイオードとの間に夫々接続点を設けて第１のコンデンサを接続し、インダクタンスと出力端子との間とダイオードとグランド端子との間に夫々接続点を設けて第２のコンデンサを接続したものであり、又は、コンバータ本体の一側面から入力端子と出力端子とグランド端子と出力電圧可変端子とを突出させた四端子型のＤＣ／ＤＣコンバータであって、入力端子に接続したトランジスタと、トランジスタに接続したインダクタンスと、インダクタンスに接続した出力端子と、トランジスタに接続した制御回路と、トランジスタとインダクタンスとの間の接続点に接続したダイオードと、ダイオードに接続したグランド端子とを備え、入力端子とトランジスタとの間とグランド端子とダイオードとの間に夫々接続点を設けて第１のコンデンサを接続し、インダクタンスと出力端子との間とダイオードとグランド端子との間に夫々接続点を設けて第２のコンデンサを接続すると共に、制御回路と出力電圧可変端子を接続し、出力電圧可変端子と出力端子との間に第１の任意抵抗を接続し、出力電圧可変端子とグランド端子との間に第２の任意抵抗を接続したものである。
【発明の効果】
【０００６】
本発明の三端子型のＤＣ／ＤＣコンバータは、入力端子とトランジスタのコレクタ端子との間とグランド端子とダイオードのアノード端子との間に夫々接続点を設けて第１のコンデンサを接続し、インダクタンスと出力端子との間とダイオードのアノード端子とグランド端子との間に夫々接続点を設けて第２のコンデンサを接続し、更に、四端子型のＤＣ／ＤＣコンバータは、入力端子とトランジスタのコレクタ端子との間とグランド端子とダイオードのアノード端子との間に夫々接続点を設けて第１のコンデンサを接続し、インダクタンスと出力端子との間とダイオードのアノード端子とグランド端子との間に夫々接続点を設けて第２のコンデンサを接続すると共に、制御回路に出力電圧可変端子を接続し、出力電圧可変端子と出力端子との間に第１の任意抵抗をグランド端子との間に第２の任意抵抗を接続したたことにより、構成を簡素化できパーツの組み込みが少ないため、廉価で提供できるものであり、画期的で実用性の高い発明である。
【発明を実施するための最良の形態】
【０００７】
本発明はＤＣ／ＤＣコンバータに関するものであり、更に詳細には、直流入力電圧を所定の直流出力電圧に変換すると共に、負荷側に何らかの原因により発生する過電流から保護をする三端子型又は四端子型のＤＣ／ＤＣコンバータに関するものであり、請求項１に記載のＤＣ／ＤＣコンバータは、コンバータ本体１の一側面から入力端子２と出力端子３とグランド端子４とを突出させた三端子型のＤＣ／ＤＣコンバータであって、前記入力端子２にコレクタ端子を接続したトランジスタＴｒ１と、該トランジスタＴｒ１のエミッタ端子に接続したインダクタンスＬ１と、該インダクタンスＬ１に接続した出力端子３と、前記トランジスタＴｒ１のベース端子に接続した制御回路６と、前記トランジスタＴｒ１のエミッタ端子とインダクタンスＬ１との間の接続点にカソード端子を接続したダイオードＤ１と、該ダイオードＤ１のアノード端子に接続したグランド端子４とを備え、前記入力端子２とトランジスタＴｒ１のコレクタ端子との間とグランド端子４とダイオードＤ１のアノード端子との間に夫々接続点を設けて第１のコンデンサＣ１を接続し、前記インダクタンスＬ１と出力端子との間とダイオードＤ１のアノード端子とグランド端子４との間に夫々接続点を設けて第２のコンデンサＣ２を接続したものである。
【０００８】
更に、請求項２に記載のＤＣ／ＤＣコンバータは、コンバータ本体１の一側面から入力端子２と出力端子３とグランド端子４と出力電圧可変端子５とを突出させた四端子型のＤＣ／ＤＣコンバータであって、前記入力端子２にコレクタ端子を接続したトランジスタＴｒ１と、該トランジスタＴｒ１のエミッタ端子に接続したインダクタンスＬ１と、該インダクタンスＬ１に接続した出力端子３と、前記トランジスタＴｒ１のベース端子に接続した制御回路６と、前記トランジスタＴｒ１のエミッタ端子とインダクタンスＬ１との間の接続点にカソード端子を接続したダイオードＤ１と、該ダイオードＤ１のアノード端子に接続したグランド端子４とを備え、前記入力端子２とトランジスタＴｒ１のコレクタ端子との間とグランド端子４とダイオードＤ１のアノード端子との間に夫々接続点を設けて第１のコンデンサＣ１を接続し、前記インダクタンスＬ１と出力端子との間とダイオードＤ１のアノード端子とグランド端子４との間に夫々接続点を設けて第２のコンデンサＣ２を接続すると共に、前記制御回路６と出力電圧可変端子５を接続し、該出力電圧可変端子５と出力端子３との間に第１の任意抵抗ＶＲ１を接続し、前記出力電圧可変端子５とグランド端子４との間に第２の任意抵抗ＶＲ２を接続したたものである。
【実施例】
【０００９】
以下、本発明のＤＣ／ＤＣコンバータの実施例の図面を用いて詳細に説明すると、図１は本発明のＤＣ／ＤＣコンバータの実施例の三端子型のＤＣ／ＤＣコンバータの回路図であり、図２は本発明のＤＣ／ＤＣコンバータの実施例の三端子型のＤＣ／ＤＣコンバータの正面図であり、図３は本発明のＤＣ／ＤＣコンバータの次実施例の四端子型のＤＣ／ＤＣコンバータの回路図であり、図４はＤＣ／ＤＣコンバータの次実施例の四端子型のＤＣ／ＤＣコンバータの正面図であり、図５は本発明のＤＣ／ＤＣコンバータの内部を説明するための断面説明図であり、図６は本発明のＤＣ／ＤＣコンバータの実装状態を説明するための側面図であり、図７は本発明のＤＣ／ＤＣコンバータの他の実装状態を説明するための側面図であり、図８は本発明のＤＣ／ＤＣコンバータの次実施例の四端子型のＤＣ／ＤＣコンバータの任意抵抗の出力電圧と抵抗値を表したグラフである。
【００１０】
即ち、本発明の実施例の三端子型のＤＣ／ＤＣコンバータは、図２に図示する如く、コンバータ本体１は絶縁部材で形成された略立方体状のもので、一側面には機器と電気的に接続させるための入力端子２と出力端子３とグランド端子４とを突出させているものである。
【００１１】
そして、図１に図示する実施例の回路図の如く、トランジスタＴｒ１
はコレクタ端子を入力端子に接続し、エミッタ端子は後述するダイオードＤ１のカソード端子との接続点を介装してインダクタンスＬ１と接続し、ベース端子には後述する制御回路６と接続しているものである。
【００１２】
次に、制御回路６はトランジスタＴｒ１のベース端子に接続させているものである。
【００１３】
次いで、インダクタンスＬ１は一方をトランジスタＴｒ１のエミッタ端子と後述するダイオードＤ１のカソード端子との接続点を介装して接続すると共に、インダクタンスＬ１の他方は出力端子と後述する第２のコンデンサＣ２を接続するための接続点を介装して接続しているものである。
【００１４】
更に、ダイオードＤ１はカソード端子をトランジスタＴｒ１のエミッタ端子とインダクタンスＬ１との間の接続点に接続すると共に、ダイオードＤ１のアノード端子はグランド端子４に接続しているものである。
【００１５】
そして、第１のコンデンサＣ１は入力端子２とトランジスタＴｒ１のコレクタ端子との間に接続点を設けると共に、グランド端子４とダイオードＤ１のアノード端子との間に接続点を設け、夫々の接続点との間に配設したものである。
【００１６】
次いで、第２のコンデンサＣ２はインダクタンスＬ１と出力端子３との間に接続点を設けると共に、ダイオードＤ１のアノード端子とグランド端子４との間に接続点を設け、夫々の接続点との間に配設したものである。
【００１７】
更には、本発明の三端子型のＤＣ／ＤＣコンバータの実装状態は図５に図示する如く、コンバータ本体１の一側面に入力端子２と出力端子３とグランド端子４とを突出させ、略中央に上下に仕切るように絶縁体７を内装し、絶縁体７の上方に回路を形成した半導体チップ８を取り付けると共に、絶縁体７の下方に誘電体であるインダクタンスＬ１を取り付けたものである。
【００１８】
そして、本発明の次実施例の四端子型のＤＣ／ＤＣコンバータは、図３及び図４に図示する如く、前述の三端子型のＤＣ／ＤＣコンバータに出力電圧可変端子５を付設したもので、出力電圧可変端子５は制御回路６と接続をしており、コンバータ本体１の一側面に入力端子２と出力端子３とグランド端子４と並設して突設しているものであり、加えて、前記出力電圧可変端子５と出力端子３との間に電圧を上げるための第１の任意抵抗ＶＲ１を接続し、前記出力電圧可変端子５とグランド端子４との間に電圧を下げるための第２の任意抵抗ＶＲ２を接続したものである。
【００１９】
更には、第１の任意抵抗ＶＲ１と第２の任意抵抗ＶＲ２とは、例えば、図８に図示するグラフのように使用する出力電圧によって任意に設定して接続するものであり、他の構造は実施例の三端子型のＤＣ／ＤＣコンバータと同様であるので省略するものである。
【００２０】
更に、本発明のＤＣ／ＤＣコンバータを基板Ａの上に実装するには、図６に図示する如く、基板Ａに設けた孔に三端子２．３．４又は四端子２．３．４．５の先端を挿通させて半田で取り付けを行うディスクリートタイプでも、或いは、基板Ａに三端子２．３．４又は四端子２．３．４．５の先端辺を半田のリフローを利用して取り付けを行う表面実装タイプで可能なものである。
【産業上の利用可能性】
【００２１】
本発明の三端子型又は四端子型のＤＣ／ＤＣコンバータは、携帯機器等に用いるもので、５〜４０Ｖの直流入力電圧を１．５〜３０Ｖの直流出力電圧にコンバートするものであり、保護回路として過電流保護、過熱保護に最適のものである。
【図面の簡単な説明】
【００２２】
【図１】図１は本発明のＤＣ／ＤＣコンバータの実施例の三端子型のＤＣ／ＤＣコンバータの回路図である。
【図２】図２は本発明のＤＣ／ＤＣコンバータの実施例の三端子型のＤＣ／ＤＣコンバータの正面図である。
【図３】図３は本発明のＤＣ／ＤＣコンバータの次実施例の四端子型のＤＣ／ＤＣコンバータの回路図である。
【図４】図４はＤＣ／ＤＣコンバータの次実施例の四端子型のＤＣ／ＤＣコンバータの正面図である。
【図５】図５は本発明のＤＣ／ＤＣコンバータの内部を説明するための断面説明図である。
【図６】図６は本発明のＤＣ／ＤＣコンバータの実装状態を説明するための側面図である。
【図７】図７は本発明のＤＣ／ＤＣコンバータの他の実装状態を説明するための側面図である。
【図８】図８は本発明のＤＣ／ＤＣコンバータの次実施例の四端子型のＤＣ／ＤＣコンバータの任意抵抗の出力電圧と抵抗値を表したグラフである。
【符号の説明】
【００２３】
１      コンバータ本体
２      入力端子
３      出力端子
４      グランド端子
５      出力電圧可変端子
６      制御回路
７      絶縁体
８      半導体チップ
Ｔｒ１  トランジスタ
Ｌ１    インダクタンス
Ｄ１    ダイオード
Ｃ１    第１のコンデンサ
Ｃ２    第２のコンデンサ
ＶＲ１  第１の任意抵抗
ＶＲ２  第２の任意抵抗
Ａ      基板
【図１】
2006067775.tif 000003
【図２】
2006067775.tif 000004
【図３】
2006067775.tif 000005
【図４】
2006067775.tif 000006
【図５】
2006067775.tif 000007
【図６】
2006067775.tif 000008
【図７】
2006067775.tif 000009
【図８】
2006067775.tif 000010